(57)【要約】【課題】カット時の刈毛が裾部から落下して靴の中に侵入するのを防ぐことができるカットクロスを提供する。【解決手段】理美容等に用いるカットクロスである。カットクロス１の折り返し部が、カットクロス１の底辺の左右両端に設けた第１の止め具５、６と、第１の止め具からカットクロスの両端の縁に沿った上方にそれぞれ設けられた第２の止め具７，８とを、カットクロスの両端の縁上で第１の止め具及び第２の止め具の左右２つの中点９、１０を結ぶ折線１１上にてカットクロス１を折り返してそれぞれ固定したことにより形成され、折線上に沿って突起物１２を配置して折り返し部の開口部に隙間を生じさせ、この隙間に刈毛が落下して収集される。【選択図】図６
0003120103.tif 000002
【実用新案登録請求の範囲】
【請求項１】
底辺部に折り返し部を設け、落下した刈毛を捕集することを特徴とするカットクロス。
【請求項２】
該折り返し部が、丸みを帯びた芯材をカットクロス底辺全域又は底辺中央部に設けてなる請求項１に記載のカットクロス。
【請求項３】
該芯材が形状記憶合金又は形状記憶樹脂である請求項１又は２に記載のカットクロス。
【請求項４】
該折り返し部に、網目状又はメッシュ状のワイヤを縫い込んでなる請求項１に記載のカットクロス。
【請求項５】
該底辺部の先端縁部に、ワイヤを縫い込んでなる請求項１に記載のカットクロス。
【請求項６】
該折り返し部が、カットクロスの底辺部の左右両端に設けた第１の止め具と、該第１の止め具からカットクロスの両端の縁に沿った上方にそれぞれ設けられた第２の止め具とを、カットクロスの両端の縁上での該第１の止め具及び該第２の止め具の左右２つの中点を結ぶ折線上にてカットクロスを折り返してそれぞれ固定したことにより形成され、該折線に沿って突起物を対称的に配置して該折り返し部の開口部に隙間を生じさせた請求項１に記載のカットクロス。
【請求項７】
該折り返し部が、カットクロスの底辺の左右両端に設けた第１の止め具と、該第１の止め具からカットクロスの両端の縁に沿った上方にそれぞれ設けられた第２の止め具とを、カットクロスの両端の縁上での該第１の止め具及び該第２の止め具の左右２つの中点を結ぶ折線上にてカットクロスを折り返してそれぞれ固定したことにより形成され、該折線に沿って小片を縦方向に配向して設置して該折り返し部の開口部に隙間を生じさせた請求項１に記載のカットクロス。
【考案の詳細な説明】
【技術分野】
【０００１】
本考案は、理容室及び美容室等で散髪に用いられるカットクロスにおいて、カットした毛が靴の中に入ることを防ぐカットクロスに関する。
【背景技術】
【０００２】
理美容室等で髪を切る時に、顧客にカットクロスを着用させる事でカットした髪の毛や水滴或いは溶液が衣服に付着したり、首周りの襟部の隙間から侵入したりするのを防止するようにしている（実用新案文献１参照）。ところが、首周りのみならず、刈毛がカットクロスの裾部分から落下する際に靴の中に入ってしまう事がある。これは、首周りと同様に顧客にとって大変な不快感をおぼえるものである。
【特許文献１】登録実用新案第３１０７９５１号公報
【考案の開示】
【考案が解決しようとする課題】
【０００３】
本考案はかかる従来の課題に鑑みてなされたものであり、その目的とするところは、カット時の刈毛がカットクロスの裾部から落下して靴の中に侵入するのを防ぐことができるカットクロスを提供することにある。
【課題を解決するための手段】
【０００４】
本考案者は、従来の理美容用等に用いるカットクロスに生じていた上記の問題に対して、カットクロスの裾部分に、折り返し部を設ける事により解決可能なことを見出し、本考案を完成させた。
【０００５】
即ち、本考案によれば、底辺部に折り返し部を設け、落下した刈毛を捕集することを特徴とするカットクロスが提供される。
【０００６】
本考案においては、折り返し部を、丸みを帯びた芯材をカットクロス底辺全域又は底辺中央部に設けて形成することにより、刈毛が靴の中に侵入するのを防ぐことが好ましい。更に、芯材に形状記憶合金又は形状記憶樹脂を用いることで、使用後に容易に洗濯ができ、折り返し部の丸みを何度でも復元させることができる。また、折り返し部には網目状又はメッシュ状のワイヤを縫い込むことにより、適宜な形状の折り返し部とすることができる。さらにまた、カットクロス底辺部の先端縁部に、ワイヤを縫い込むことが、形状を保持する上で好ましい。
【０００７】
また、本考案においては、折り返し部が、カットクロスの底辺の左右両端に設けた第１の止め具と、第１の止め具からカットクロスの両端の縁に沿った上方にそれぞれ設けられた第２の止め具とを、カットクロスの両端の縁上で第１の止め具及び第２の止め具の左右２つの中点を結ぶ折線上にてカットクロスを折り返してそれぞれ固定したことにより形成され、該折線に沿って突起物を配置して該折り返し部の開口部に隙間を生じさせ、この隙間に刈毛が落下して収集される。
【０００８】
さらに、本考案においては、折り返し部が、カットクロスの底辺の左右両端に設けた第１の止め具と、第１の止め具からカットクロスの両端の縁に沿った上方にそれぞれ設けられた第２の止め具とを、カットクロスの両端の縁上で第１の止め具及び第２の止め具の左右２つの中点を結ぶ折線上にてカットクロスを折り返してそれぞれ固定したことにより形成され、該折線に沿って小片を縦方向に配向して設置して該折り返し部の開口部に隙間を生じさせ、この隙間に刈毛が落下して収集される。
【考案の効果】
【０００９】
本考案のカットクロスによれば、カット時の刈毛がカットクロスの裾部から落下して靴の中に侵入することを防止するという効果がある。
【考案を実施するための最良の形態】
【００１０】
以下、本考案を実施するための最良の形態について図面を参照しながら説明するが、本考案は、これらに何ら限定されるものではなく、本考案の範囲を逸脱しない限りにおいて、当業者の知識に基づいて、種々の変更、修正、改良を加え得るものであることは言うまでもない。
【００１１】
本考案の一実施形態によれば、図１に示すように、カットクロス１の底辺部に丸みを帯びた折り返し部２を設けることで、落下した刈毛３が収集される為、刈毛３が靴の中に侵入するのを防ぐことができる。図２は、本考案のカットクロスの折り返し部２を説明する模式的一部拡大側面図であるが、カット時の刈毛３がこぼれることなく収集される状況を示している。
【００１２】
図３は、本考案の別の実施形態を示すもので、図３に示すように、折り返し部２が、丸みを帯びた芯材４をカットクロス１の底辺中央部に設けて形成することにより、顧客が足を動かした場合等であっても、確実に刈毛が靴の中に侵入するのを防ぐことができる。芯材４の形状は、図３に示すように、帯状のものでも、図４に示すような線状のものでも、折り返し部２に丸みを持たせる形状のものであればどのような形状であっても良い。
【００１３】
また、芯材４は、プラスチック等の樹脂、金属の他、どのような材質のものであっても良いが、形状記憶合金又は形状記憶樹脂を用いることで、使用後に容易に洗濯ができる上に、折り返し部２の丸みを何度でも復元させることができる。更に、芯材４の幅や、形状、材質によって芯材４の数を適宜調整することが好ましい。また、芯材４を折り返し部２に配置する際には、縫着や、接着剤等を用いる事もできる。
【００１４】
図５は、本考案のカットクロス１の底辺中央部の生地の丸みを伸ばした一部拡大平面図である。図５のように、カットクロス１の底辺中央部の生地を前方に拡張して余裕を持たせることにより、折り返し部２の丸みが形成しやすくなると同時に、より前方まで広範囲に顧客の足元をカバーできる。
【００１５】
次に、本考案の更に別の実施形態を図６及び図７に基づいて説明する。図６に示すように、カットクロス１の底辺の左端に第１の止め具５と、右端に第１の止め具６とを設ける。また、左端の第１の止め具５からカットクロス１の左端の縁に沿った上方に第２の止め具７を設ける。また、右端の第１の止め具６からカットクロス１の右端の縁に沿った上方には第２の止め具８がある。
【００１６】
図６において、カットクロス１の左端の縁上で第１の止め具５と第２の止め具７の中点が９である。同様にカットクロス１の右端の縁上で第１の止め具６と第２の止め具８の中点が１０である。左右２つの中点９、１０を結ぶ線が折線１１である。折線１１上にてカットクロス１の底辺を折り返して畳み込む。カットクロス１の左端では第１の止め具５と第２の止め具７を固定する。同様にして、カットクロスの右端では第１の止め具６と第２の止め具８を固定する。これにより図７に示すような折り返し部２が形成される。
【００１７】
また更に、図６において、折線１１に沿って突起物１２を対称的に配置することにより、図８に示すような、折り返し部２の開口部１３に隙間を生じさせ、この隙間に刈毛が落下して収集される。突起物１２の素材は、樹脂や、ウレタン等いずれのものでも良い。なお、図６において、第１の止め具５から第１の止め具６までを結ぶカットクロス底辺部の先端縁部にはワイヤを縫い込むことが、形状保持のために好ましい。
また、図１１に示すように、折り返し部２には網目状又はメッシュ状のワイヤ１６を縫い込むことにより、適宜な形状の折り返し部とすることができる。
【００１８】
また、突起物１２の形状は、折り返し部２の開口部１３に隙間を形勢し得るものであれば良く、立方体や直方体でも、プレート状等、どのような形状であっても良い。図９、図１０は、折線１１と突起物１２の配置例を示す説明図であるが、図９のようにウレタン等の立方体１４を折れ線１１に平行して飛び石的に配置することができる。または図１０のように折れ線１１を跨いでプラスチック等の小片１５を縦に配向して配置することもできる。仮にこれらの突起物１２や小片を配置しない場合には、折線１１が畳まれるだけで、開口部１３の隙間が生じない為、刈毛を捕集する事ができなくなるおそれがあり、好ましくない。
【００１９】
この実施形態において、第一の止め具と第２の止め具とを固定する手段は、磁石、ボタン、マジックテープ（登録商標）その他いずれの手段でも良く、収集した刈毛を捨てる際に取り外しが容易である事が好ましい。
【産業上の利用可能性】
【００２０】
本考案のカットクロスは、理美容業界において生じていたカット時の刈毛がカットクロスの裾部から落下して靴の中に侵入するという問題を防ぐことができ、理美容において極めて有益である。
【図面の簡単な説明】
【００２１】
【図１】本考案のカットクロスの一実施形態を示す説明図。
【図２】本考案のカットクロスの折り返し部を説明する模式的一部拡大側面図。
【図３】本考案のカットクロスの別の一実施形態を示す説明図。
【図４】本考案のカットクロスの別の一実施形態における芯材の形状を示す説明図。
【図５】本考案のカットクロスの別の一実施形態を示す模式的一部拡大説明図。
【図６】本考案のカットクロスの更に別の一実施形態を示す模式的説明図。
【図７】本考案のカットクロスの更に別の一実施形態における折り返し部の模式的一部拡大説明図。
【図８】本考案のカットクロスの更に別の一実施形態における折り返し部の模式的一部拡大側面図。
【図９】本考案のカットクロスの更に別の一実施形態における折線と突起物の配置例を示す説明図。
【図１０】本考案のカットクロスの更に別の一実施形態における折線と突起物の配置例を示す説明図。
【図１１】本考案のカットクロスの更に別の一実施形態を示す模式的説明図。
【符号の説明】
【００２２】
１…カットクロス、２…折り返し部、３…刈毛、４…芯材、５、６…第１の止め具、７、８…第２の止め具、９、１０…中点、１１…折線、１２…突起物、１３…開口部、１４…立方体、１５…小片、１６…メッシュ状ワイヤ。
【図１】
0003120103.tif 000003
【図２】
0003120103.tif 000004
【図３】
0003120103.tif 000005
【図４】
0003120103.tif 000006
【図５】
0003120103.tif 000007
【図６】
0003120103.tif 000008
【図７】
0003120103.tif 000009
【図８】
0003120103.tif 000010
【図９】
0003120103.tif 000011
【図１０】
0003120103.tif 000012
【図１１】
0003120103.tif 000013